(57)【要約】【課題】ビスを用いずに防水パンとエプロンとを連結させた浴槽のエプロン取り付け構造を提供することである。【解決手段】四方の縁に水返し壁４１が設けられ且つ縁よりも内側に壁面パネル載置部４２を備えた防水パン４０と、浴槽６０とを隣接させ、浴槽６０に対面する水返し壁４１と、浴槽６０との間にエプロン２０を取り付けてなる浴槽のエプロン取り付け構造において、エプロン２０と防水パン４０とを連結する連結部材１，２を備え、連結部材１，２は、載置台部と５，６、当接脚片７，８と、嵌合挟持部９，１０とを有するとともに断面略Ｅ字状であり、エプロン２０の両端部には延設部２２が設けられ、浴槽６０の幅方向に直交する水返し壁４１に、連結部材１，２を被せて嵌合挟持部９，１０で挟持し、当接脚片７，８を壁面パネル載置部４２に当接させ、延設部２２を載置台部５，６に載せた。【選択図】図２
2012024310.tif 000002
【特許請求の範囲】
【請求項１】
四方の縁に水返し壁が設けられ且つ縁よりも内側に壁面パネル載置部を備えた防水パンと、浴槽とを隣接させ、浴槽に対面する水返し壁と、浴槽との間にエプロンを取り付けてなる浴槽のエプロン取り付け構造において、エプロンと防水パンとを連結する連結部材を備えており、前記連結部材は、載置台部と、当接脚片と、嵌合挟持部とを有するとともに断面略Ｅ字状であり、前記エプロンの両端部には延設部が設けられており、前記浴槽の幅方向に直交する水返し壁に、前記連結部材を被せて嵌合挟持部で前記水返し壁を挟持し、前記当接脚片を前記壁面パネル載置部に当接させ、前記延設部を前記載置台部に載せたことを特徴とする浴槽のエプロン取り付け構造。
【発明の詳細な説明】
【技術分野】
【０００１】
本発明は、浴槽のエプロン取り付け構造に関し、さらに詳細には、ビスを用いずに防水パンとエプロンとを連結させた浴槽のエプロン取り付け構造に関する。
【背景技術】
【０００２】
システムバスルームと呼ばれるユニットバスは、優れた意匠性を有しており、広く普及している。床ハーフ３分割式と呼ばれるユニットバスでは、浴槽と、洗い場を成す防水パンと、浴槽の前面パネルを成すエプロンとが分割されており、従来のユニットバスに見られるいかにも一体成型されたようなイメージが払拭されている。
【０００３】
特許文献１には、浴槽と、エプロンと、洗い場パン（防水パン）とに分割された洗い場付き浴槽の分割エプロン構造が開示されている。特許文献１では、エプロンの幅方向の両端に設けられた縦リブが、洗い場パンの水切り片にビスで固定される構成となっている。
【先行技術文献】
【特許文献】
【０００４】
【特許文献１】特開２００５−９５５６０号公報
【発明の概要】
【発明が解決しようとする課題】
【０００５】
ところが、特許文献１に開示された洗い場付き浴槽の分割エプロン構造では、水切り片にビス孔を設けていることによって、漏水することが懸念される。さらに、エプロンと洗い場パンはいずれも樹脂成形品であるため、組み立てのやり直し等によってビスの挿抜を繰り返すと、ビス孔が拡がり、ビスが効かなくなってしまう恐れもある。
【０００６】
そこで、本発明は、ビスを用いずに防水パンとエプロンとを連結させた浴槽のエプロン取り付け構造の提供を目的とする。
【課題を解決するための手段】
【０００７】
上記課題を解決するための請求項１に記載の発明は、四方の縁に水返し壁が設けられ且つ縁よりも内側に壁面パネル載置部を備えた防水パンと、浴槽とを隣接させ、浴槽に対面する水返し壁と、浴槽との間にエプロンを取り付けてなる浴槽のエプロン取り付け構造において、エプロンと防水パンとを連結する連結部材を備えており、前記連結部材は、載置台部と、当接脚片と、嵌合挟持部とを有するとともに断面略Ｅ字状であり、前記エプロンの両端部には延設部が設けられており、前記浴槽の幅方向に直交する水返し壁に、前記連結部材を被せて嵌合挟持部で前記水返し壁を挟持し、前記当接脚片を前記壁面パネル載置部に当接させ、前記延設部を前記載置台部に載せたことを特徴とする浴槽のエプロン取り付け構造である。
【０００８】
本発明で用いる連結部材において、嵌合挟持部は、防水パンの水返し壁を強固に挟持している。また、当接脚片は、壁面パネル載置部に当接することにより、位置ずれが起こり難い。すなわち、連結部材は、防水パンに固定されている。このことにより、連結部材に設けられた載置台部は、エプロンの延設部を安定して支持している。つまり、防水パンとエプロンとは、連結部材で連結されている。
【発明の効果】
【０００９】
本発明の浴槽のエプロン取り付け構造によれば、ビスを用いずにエプロンを取り付けることができる。
【図面の簡単な説明】
【００１０】
【図１】本発明の実施形態に係る浴槽のエプロン取り付け構造で用いる連結部材を示す図であり、（ａ）は左側水返し壁用の連結部材の斜視図、（ｂ）は右側水返し壁用の連結部材の斜視図、（ｃ）は（ａ）のＡ−Ａ断面図、（ｄ）は（ａ）のＢ−Ｂ断面図である。
【図２】本発明の実施形態に係る浴槽のエプロン取り付け構造を示す図であり、（ａ）は浴槽等の斜視図、（ｂ）は（ａ）の一部拡大図である。
【図３】図２（ａ）のＡ−Ａ断面図である。
【発明を実施するための形態】
【００１１】
以下では、本発明の浴槽のエプロン取り付け構造の実施形態について、図面を参照しながら詳細に説明する。なお、以下の説明は、実施形態の理解を容易にするためのものであり、これによって、本発明が制限して理解されるべきではない。
【００１２】
図１（ａ），（ｂ）に示す連結部材１，２は、本発明の実施形態に係る浴槽のエプロン取り付け構造で用いられる。連結部材１，２は、樹脂製であり、弾性を有している。連結部材１と連結部材２は、互いに左右対称となる形状である。連結部材１は、後述する防水パン４０の左側水返し壁４３に用いられる連結部材である。一方、連結部材２は、後述する防水パン４０の右側水返し壁４４に用いられる連結部材である。連結部材１，２は、図１（ｃ），（ｄ）に示すように、断面視で略Ｅ字状を成している。連結部材１，２は、それぞれ本体部３，４と、載置台部５，６と、当接脚片７，８と、嵌合挟持部９，１０とを有する。
【００１３】
本体部３，４は、それぞれ連結部材１，２の胴体を成している。本体部３，４は、それぞれ当接脚片７，８と、嵌合挟持部９，１０とを結び付けて一体化している。
【００１４】
載置台部５，６は、後述するエプロン２０の延設部２２を支持するための台である。載置台部５，６は、平面視で略Ｌ字状を成している。載置台部５，６は、それぞれ本体部３，４の天面に位置している。
【００１５】
当接脚片７，８は、本体部３，４を支持するための支持部である。当接脚片７，８は、断面視で略Ｌ字状を成している。当接脚片７，８は、それぞれ水平方向において嵌合挟持部９，１０よりも外側にまで延びており、そこから下方に垂れている。
【００１６】
嵌合挟持部９は、後述する防水パン４０の左側水返し壁４３を挟持するための部位である。嵌合挟持部９は、断面視で略Ｃ字状を成している。嵌合挟持部９は、挟持片１１，１２を有している。すなわち、挟持片１１と挟持片１２とが、上下離れて位置している。
【００１７】
挟持片１１は、断面視で略Ｌ字状を成している。挟持片１１は、挟持片１２よりも上方に位置している。挟持片１１は、当接脚片７よりも短く、当接脚片７よりも内側に位置している。挟持片１１は、本体部３の近傍に位置している。
【００１８】
一方、挟持片１２は、断面視で略Ｌ字状を成している。挟持片１２は、挟持片１１よりも下方に位置している。挟持片１２は、本体部３から真下に一定の距離だけ延び、そこから水平方向に延びている。
【００１９】
嵌合挟持部１０は、後述する防水パン４０の右側水返し壁４４を挟持するための部位である。嵌合挟持部１０も嵌合挟持部９と同様であり、断面視で略Ｃ字状を成している。嵌合挟持部１０は、挟持片１３，１４を有している。すなわち、挟持片１３と挟持片１４とが、上下離れて位置している。
【００２０】
挟持片１３は、断面視で略Ｌ字状を成している。挟持片１３は、挟持片１４よりも上方に位置している。挟持片１３は、当接脚片８よりも短く、当接脚片８よりも内側に位置している。挟持片１３は、本体部４の近傍に位置している。
【００２１】
一方、挟持片１４は、断面視で略Ｌ字状を成している。挟持片１４は、挟持片１３よりも下方に位置している。挟持片１４は、本体部４から真下に一定の距離だけ延び、そこから水平方向に延びている。
【００２２】
図２（ａ），（ｂ）は、本実施形態の浴槽のエプロン取り付け構造を示す図である。
【００２３】
図２（ａ）は、浴槽６０を背面６１から見た斜視図である。浴槽６０と防水パン４０は隣接しており、浴槽６０と防水パン４０の間にエプロン２０が位置している。
【００２４】
浴槽６０は、天面の四方の縁に、鍔部６３を有している。
【００２５】
防水パン４０は、浴室における洗い場を成すものである。防水パン４０は、水返し壁４１と、壁面パネル載置部４２と、床部４６とを有している。
【００２６】
水返し壁４１は、防水パン４０の四方の縁に位置している。水返し壁４１は、垂直に立設した立上り部である。四方の水返し壁４１の内、浴槽６０に対面しているものを対面水返し壁４５と呼ぶ。さらに、四方の水返し壁４１の内、浴槽６０の幅方向に直交するものを、左側水返し壁４３と、右側水返し壁４４と呼ぶ。
【００２７】
左側水返し壁４３は、浴槽６０の背面６１側から見て左側に位置している。右側水返し壁４４は、浴槽６０の背面６１側から見て右側に位置している。
【００２８】
なお、水返し壁４１よりも内側には、壁面パネル載置部４２が設けられている。壁面パネル載置部４２は、浴室における壁面パネルを載置するための段部である。壁面パネル載置部４２は、水返し壁４１よりも下がった位置にあり、且つ床部４６よりも上がった位置にある。
【００２９】
エプロン２０は、浴槽６０の正面６２側を覆うための前面パネルであり、浴槽６０の下への水の侵入を防止するための壁である。図２（ａ）に示すように、エプロン２０の上部は、浴槽６０の鍔部６３に当接している。
【００３０】
図２（ｂ）の一部拡大図に示すように、エプロン２０は、本体部２１と、延設部２２とを有している。延設部２２は、エプロン２０の幅方向に延設された部位である。延設部２２は、本体部２１の左右両端に設けられている。左右に設けられた延設部２２は、互いに左右対称となる形状である。そのため、図２（ｂ）においては右側のみ図示しており、左側の延設部２２の説明を省略する。
【００３１】
延設部２２は、支持部２３と、当止片２４と、垂直壁２５とを有している。
【００３２】
支持部２３は、連結部材２の載置台部６に当接するための部位である。支持部２３は、エプロン２０の幅方向に対して直交する方向に突出している。換言すれば、支持部２３は、浴槽６０の背面６１の方向へ突出している。
【００３３】
当止片２４は、防水パン４０の右側水返し壁４４と、連結部材２の挟持片１４とに当接するための部位である。当止片２４は、エプロン２０の最端に位置している。当止片２４は、挟持片１４に沿って下方に延びている。
【００３４】
垂直壁２５は、連結部材２の当接脚片８に当接するための部位であり、水の侵入を防止するための壁である。垂直壁２５は、エプロン２０の幅方向に対して直交する方向に突出している。換言すれば、垂直壁２５は、浴槽６０の背面６１の方向へ突出しており、対面水返し壁４５に当接している。
【００３５】
図３は、図２（ａ）のＡ−Ａ断面図である。換言すれば、図３は、浴槽６０の背面６１側から見たエプロン２０と防水パン４０との関係を示す断面図である。
【００３６】
図３において、連結部材１は、防水パン４０の左側水返し壁４３に被せられている。左側水返し壁４３の上部に挟持片１１が位置し、左側水返し壁４３の下部に挟持片１２が位置している。すなわち、左側水返し壁４３は挟持片１１，１２（嵌合挟持部９）で上下から挟持されている。
【００３７】
連結部材２も連結部材１と同様に、防水パン４０の右側水返し壁４４に被せられている。右側水返し壁４４の上部に挟持片１３が位置し、右側水返し壁４４の下部に挟持片１４が位置している。すなわち、右側水返し壁４４は挟持片１３，１４（嵌合挟持部１０）で上下から挟持されている。
【００３８】
エプロン２０は、連結部材１，２に当接している。連結部材１側において、支持部２３は、載置台部５に載置されている。換言すれば、載置台部５は支持部２３を支持している。
【００３９】
一方、連結部材２側において、支持部２３は、支持部２３は、載置台部６に載置されている。換言すれば、載置台部６は支持部２３を支持している。
【００４０】
また、エプロン２０は、連結部材１，２に嵌められている。連結部材１側において、当止片２４は、防水パン４０の左側水返し壁４３と、連結部材１の挟持片１２とに当接している。垂直壁２５は、連結部材１の当接脚片７に当接している。換言すれば、当止片２４と垂直壁２５とで、連結部材１を挟持している。
【００４１】
一方、連結部材２側において、当止片２４は、防水パン４０の右側水返し壁４４と、連結部材２の挟持片１４とに当接している。垂直壁２５は、連結部材２の当接脚片８に当接している。換言すれば、当止片２４と垂直壁２５とで、連結部材２を挟持している。
【００４２】
上記のように、嵌合挟持部９，１０は、それぞれ防水パン４０の左側水返し壁４３、右側水返し壁４４（水返し壁４１）を強固に挟持している。また、当接脚片７，８は、それぞれ壁面パネル載置部４２に当接していることにより、位置ずれが起こり難い。すなわち、連結部材１，２は、防水パン４０に固定されている。このことにより、連結部材１，２に設けられた載置台部５，６は、それぞれエプロン２０の支持部２３（延設部２２）を安定して支持している。つまり、防水パン４０とエプロン２０は、連結部材１，２で連結されている。
【００４３】
前述のように、本発明の実施形態に係る浴槽のエプロン取り付け構造によれば、ビスを用いずに防水パン４０とエプロン２０を連結させた。
【００４４】
尚、本発明において補助的にビスを用いても良いことは当然であり、本発明の範囲に含まれる。
【符号の説明】
【００４５】
１，２    連結部材
５，６    載置台部
７，８    当接脚片
９，１０    嵌合挟持部
２０    エプロン
２２    延設部
４０    防水パン
４１    水返し壁
４２    壁面パネル載置部
６０    浴槽
【図１】
2012024310.tif 000003
【図２】
2012024310.tif 000004
【図３】
2012024310.tif 000005